(57)【要約】【課題】撮影する画像に対して、ユーザの感性を反映することができる情報機器、画像処理方法およびプログラムを提供する。【解決手段】情報機器１は、画像取得部５１が取得した第１画像データに対応する第１画像における所定の領域の画像信号を補正した補正画像データを生成する補正部５２と、補正部５２が生成した補正画像データおよび第２画像データにおいて互いに対応する画素の画像信号を比較し、大きい方の画像信号を用いて前記補正画像データと前記第２画像データとを合成した合成画像データを生成する画像合成部５３と、を備える。【選択図】図１
2015233243.tif 000002
【特許請求の範囲】
【請求項１】
第１画像データおよび該第１画像データと異なる第２画像データを取得する画像取得部と、
前記画像取得部が取得した前記第１画像データに対応する第１画像を表示可能な表示部と、
前記表示部が前記第１画像を表示している際に、前記第１画像内における所定の指定領域を指定する指示信号の入力を受け付ける入力部と、
前記入力部が入力を受け付けた前記指示信号に基づいて、前記第１画像における前記指定領域の画像信号を補正した補正画像データを生成する補正部と、
前記補正部が生成した前記補正画像データおよび前記第２画像データにおいて互いに対応する画素の画像信号を比較し、大きい方の画像信号を用いて前記補正画像データと前記第２画像データとを合成した合成画像データを生成する画像合成部と、
を備えたことを特徴とする情報機器。
【請求項２】
前記画像合成部は、前記比較を行う前に、前記補正画像データおよび前記第２画像データのうち少なくとも一方の画像信号を補正することを特徴とする請求項１に記載の情報機器。
【請求項３】
前記画像合成部は、前記比較を行う前に、前記第２画像データの画像信号を減衰させることを特徴とする請求項１または２に記載の情報機器。
【請求項４】
前記画像合成部は、前記比較を行う前に、前記補正画像データに対応する補正画像における前記所定の領域以外の各画素の画像信号を増幅することを特徴とする請求項１〜３のいずれか一つに記載の情報機器。
【請求項５】
前記補正部は、前記所定の領域における各画素の画像信号を減衰させる補正を行うことを特徴とする請求項１〜４のいずれか一つに記載の情報機器。
【請求項６】
前記補正部は、前記所定の領域における各画素の画像信号を零に補正することを特徴とする請求項１〜５のいずれか一つに記載の情報機器。
【請求項７】
所定の視野領域を撮像し、該視野領域の画像データを生成する撮像部と、
前記補正部が生成した前記補正画像データに基づいて、前記撮像部が生成する前記画像データの露出値を制御する露出制御部と、
をさらに備え、
前記画像取得部は、前記露出制御部が前記露出値で前記撮像部に生成させた前記画像データを前記第２画像データとして取得することを特徴とする請求項１〜５のいずれか一つに記載の情報機器。
【請求項８】
前記露出制御部は、前記撮像部の撮影領域のうち前記所定の領域に対応する第１撮像領域の露光量を、前記所定の領域以外の表示領域に対応する第２撮像領域の露光時間より長くすることを特徴とする請求項７に記載の情報機器。
【請求項９】
前記露出制御部は、前記露出制御部は、前記撮像部の撮影領域のうち前記所定の領域に対応する第１撮像領域の露光回数を、前記所定の領域以外の表示領域に対応する第２撮像領域の露光回数より多くすることを特徴とする請求項７に記載の情報機器。
【請求項１０】
前記露出制御部は、前記露出制御部は、前記撮像部の撮影領域のうち前記所定の領域に対応する第１撮像領域の感度を、前記所定の領域以外の表示領域に対応する第２撮像領域の感度より大きくすることを特徴とする請求項７に記載の情報機器。
【請求項１１】
前記入力部は、前記表示部の表示領域に重畳して設けられ、外部からの物体の接触位置を検出し、この接触位置に応じた位置信号の入力を受け付けるタッチパネルを有し、
前記補正部は、前記表示部が前記第１画像を表示している際に、前記タッチパネルが入力を受け付けた前記位置信号に対応する位置を含む領域における前記第１画像の各画素の画像信号を補正して前記補正画像データを生成することを特徴とする請求項１〜９のいずれか一つに記載の情報機器。
【請求項１２】
情報機器が実行する画像処理方法であって、
第１画像データおよび該第１画像データと異なる第２画像データを取得する画像取得ステップと、
前記画像取得ステップにおいて取得した前記第１画像データに対応する第１画像を表示する表示ステップと、
前記表示ステップにおいて前記第１画像を表示している際に、前記第１画像内における所定の指定領域を指定する指示信号の入力を受け付ける入力ステップと、
前記入力ステップにおいて入力を受け付けた前記指示信号に基づいて、前記第１画像における前記指定領域の画像信号を補正した補正画像データを生成する補正ステップと、
前記補正ステップにおいて生成した前記補正画像データおよび前記第２画像データにおいて互いに対応する画素の画像信号を比較し、大きい方の画像信号を用いて前記補正画像データと前記第２画像データとを合成した合成画像データを生成する画像合成ステップと、
を含むことを特徴とする画像処理方法。
【請求項１３】
情報機器に、
第１画像データおよび該第１画像データと異なる第２画像データを取得する画像取得ステップと、
前記画像取得ステップにおいて取得した前記第１画像データに対応する第１画像を表示する表示ステップと、
前記表示ステップにおいて前記第１画像を表示している際に、前記第１画像内における所定の指定領域を指定する指示信号の入力を受け付ける入力ステップと、
前記入力ステップにおいて入力を受け付けた前記指示信号に基づいて、前記第１画像における前記指定領域の画像信号を補正した補正画像データを生成する補正ステップと、
前記補正ステップにおいて生成した前記補正画像データおよび前記第２画像データにおいて互いに対応する画素の画像信号を比較し、大きい方の画像信号を用いて前記補正画像データと前記第２画像データとを合成した合成画像データを生成する画像合成ステップと、
を実行させることを特徴とするプログラム。
【発明の詳細な説明】
【技術分野】
【０００１】
本発明は、画像データに対応する画像を表示可能な情報機器、画像処理方法およびプログラムに関する。
【背景技術】
【０００２】
近年、デジタルカメラ等の撮像装置において、星を撮影しながら順次生成した画像に対して比較明合成処理を行うことによって、星の軌跡を撮影することができる技術が知られている（特許文献１参照）。
【先行技術文献】
【特許文献】
【０００３】
【特許文献１】特開２０１３−６２７４０号公報
【発明の概要】
【発明が解決しようとする課題】
【０００４】
しかしながら、上述した特許文献１は、撮影における一つの機能を拡張したものでしかなく、撮影する画像に対して、ユーザの感性を反映することができるものではなかった。
【０００５】
本発明は、上記に鑑みてなされたものであって、撮影する画像に対して、ユーザの感性を反映することができる情報機器、画像処理方法およびプログラムを提供することを目的とする。
【課題を解決するための手段】
【０００６】
上述した課題を解決し、目的を達成するために、本発明に係る情報機器は、第１画像データおよび該第１画像データと異なる第２画像データを取得する画像取得部と、前記画像取得部が取得した前記第１画像データに対応する第１画像を表示可能な表示部と、前記表示部が前記第１画像を表示している際に、前記第１画像内における所定の指定領域を指定する指示信号の入力を受け付ける入力部と、前記入力部が入力を受け付けた前記指示信号に基づいて、前記第１画像における前記指定領域の画像信号を補正した補正画像データを生成する補正部と、前記補正部が生成した前記補正画像データおよび前記第２画像データにおいて互いに対応する画素の画像信号を比較し、大きい方の画像信号を用いて前記補正画像データと前記第２画像データとを合成した合成画像データを生成する画像合成部と、を備えたことを特徴とする。
【０００７】
また、本発明に係る画像処理方法は、情報機器が実行する画像処理方法であって、第１画像データおよび該第１画像データと異なる第２画像データを取得する画像取得ステップと、前記画像取得ステップにおいて取得した前記第１画像データに対応する第１画像を表示する表示ステップと、前記表示ステップにおいて前記第１画像を表示している際に、前記第１画像内における所定の指定領域を指定する指示信号の入力を受け付ける入力ステップと、前記入力ステップにおいて入力を受け付けた前記指示信号に基づいて、前記第１画像における前記指定領域の画像信号を補正した補正画像データを生成する補正ステップと、前記補正ステップにおいて生成した前記補正画像データおよび前記第２画像データにおいて互いに対応する画素の画像信号を比較し、大きい方の画像信号を用いて前記補正画像データと前記第２画像データとを合成した合成画像データを生成する画像合成ステップと、を含むことを特徴とする。
【０００８】
また、本発明に係るプログラムは、情報機器に、第１画像データおよび該第１画像データと異なる第２画像データを取得する画像取得ステップと、前記画像取得ステップにおいて取得した前記第１画像データに対応する第１画像を表示する表示ステップと、前記表示ステップにおいて前記第１画像を表示している際に、前記第１画像内における所定の指定領域を指定する指示信号の入力を受け付ける入力ステップと、前記入力ステップにおいて入力を受け付けた前記指示信号に基づいて、前記第１画像における前記指定領域の画像信号を補正した補正画像データを生成する補正ステップと、前記補正ステップにおいて生成した前記補正画像データおよび前記第２画像データにおいて互いに対応する画素の画像信号を比較し、大きい方の画像信号を用いて前記補正画像データと前記第２画像データとを合成した合成画像データを生成する画像合成ステップと、を実行させることを特徴とする。
【発明の効果】
【０００９】
本発明によれば、画像に対して、ユーザの感性を反映することができるという効果を奏する。
【図面の簡単な説明】
【００１０】
【図１】図１は、本発明の実施の形態１に係る情報機器の機能構成を示すブロック図である。
【図２】図２は、本発明の実施の形態１に係る情報機器が実行する処理の概要を示すフローチャートである。
【図３】図３は、合成用の画像の一例を示す図である。
【図４】図４は、ユーザがタッチパネルを介して指定領域を指定する際の概要を模式的に説明する図である。
【図５】図５は、本発明の実施の形態１に係る情報機器の補正部による抽出前の画像内における位置と輝度（画像信号）との関係を模式的に示す図である。
【図６】図６は、本発明の実施の形態１に係る情報機器の補正部による抽出後の画像内における位置と輝度（画像信号）との関係を模式的に示す図である。
【図７】図７は、第２画像内おける輝度（画像信号）と画像位置との関係を模式的に示す図である。
【図８】図８は、本発明の実施の形態１に係る情報機器の合成画像部による輝度（画像信号）の補正後における第２画像内における輝度と画像位置との関係を模式的に示す図である。
【図９】図９は、本発明の実施の形態１に係る情報機器の画像合成部が生成した合成画像データに対応する合成画像内おける輝度（画像信号）と画像位置との関係を模式的に示す図である。
【図１０】図１０は、本発明の実施の形態２に係る情報機器の機能構成を示すブロック図である。
【図１１】図１１は、本発明の実施の形態２に係る情報機器が実行する処理の概要を示すフローチャートである。
【図１２】図１２は、図１１の撮影モード処理の概要を示すフローチャートである。
【図１３】図１３は、図１１の再生モード処理の概要を示すフローチャートである。
【図１４】図１４は、本実施の形態３に係る情報機器が実行する撮影モード処理の概要を示すフローチャートである。
【図１５】図１５は、本実施の形態３に係る情報機器の撮像部が露出制御部の制御のもと、撮像する画像の輝度（画像信号）と画像位置との関係を模式的に示す図である。
【図１６】図１６は、本実施の形態３の変形例に係る情報機器の撮像部が露出制御部の制御のもと、撮像する画像の輝度（画像信号）と画像位置との関係を模式的に示す図である。
【発明を実施するための形態】
【００１１】
以下、図面を参照して、本発明を実施するための形態（以下、「実施の形態」という）について説明する。なお、以下の実施の形態により、本発明が限定されるものではない。また、図面の記載において、同一の部分には同一の符号を付して説明する。
【００１２】
（実施の形態１）
〔情報機器の構成〕
図１は、本実施の形態１に係る情報機器の機能構成を示すブロック図である。図１に示す情報機器１は、記録部２と、入力部３と、表示部４と、制御部５と、を備える。
【００１３】
記録部２は、制御部５を介して入力または取得される画像データ、情報機器１の処理中の情報、情報機器１を動作させるための各種プログラムや本実施の形態１に係るプログラムおよびプログラムの実行中に使用される各種データ等を記録する。記録部２は、ＳＤＲＡＭ（Synchronous  Dynamic  Random  Access  Memory）、Ｆｌａｓｈメモリおよび記録媒体等を用いて構成される。記録部２は、画像データを記録する画像データ記録部２１と、後述する制御部５によって画像データが補正された補正データを記録する補正データ記録部２２と、プログラムを記録するプログラム記録部２３と、を有する。
【００１４】
入力部３は、情報機器１の各種の操作を指示する指示信号の入力を受け付ける。入力部３は、情報機器１の各種の操作を指示する指示信号の入力を受け付ける操作スイッチ３１と、タッチパネル３２と、を有する。タッチパネル３２は、表示部４の表示領域に重畳して設けられ、外部からの物体の接触位置（タッチ位置）を検出し、この検出した接触位置に応じた位置信号の入力を受け付ける。
【００１５】
表示部４は、制御部５の制御のもと、画像データに対応する画像を表示する。具体的には、表示部４は、記録部２に記録された画像データを再生する再生表示を行う。表示部４は、液晶または有機ＥＬ（Electro  Luminescence）からなる表示パネルおよび駆動ドライバ等を用いて構成される。また、制御部５の制御のもと、情報機器１の操作情報を適宜表示する。
【００１６】
制御部５は、情報機器１を構成する各部に対する指示やデータの転送等を行って情報機器１の動作を統括的に制御する。制御部５は、ＣＰＵ（Central  Processing  Unit）を用いて構成される。
【００１７】
ここで、制御部５の詳細な構成について説明する。制御部５は、少なくとも、画像取得部５１と、補正部５２と、画像合成部５３と、表示制御部５４と、を有する。
【００１８】
画像取得部５１は、記録部２から画像データを取得する。具体的には、入力部３から入力される指示信号に応じて選択された画像データを画像データ記録部２１から取得する。画像取得部５１は、画像データ記録部２１から取得した画像データを、補正部５２または画像合成部５３へ出力する。例えば、画像取得部５１は、画像データ記録部２１から第１画像データおよび第１画像データと異なる第２画像データを取得する。
【００１９】
補正部５２は、画像取得部５１から入力された画像データに対応する第１画像における所定の領域の輝度に従った信号（画像信号）を補正した補正画像データを生成し、この補正画像データを補正データ記録部２２または画像合成部５３へ出力する。具体的には、補正部５２は、タッチパネル３２から入力される位置信号に対応する位置を含む領域における第１画像の各画素の輝度に従った信号（画像信号）を補正して補正画像データを生成し、この補正画像データを補正データ記録部２２または画像合成部５３へ出力する。ここでは、被写体や対象物の明るさ（輝度）に従って、画素から出る信号が増減するので、画像信号を「輝度」と略して表現している。実際の画素にはカラーフィルタ等で色情報に変換する仕組みがあるが、ここでは、各色の差異は単純化して説明していない。もちろん、ＲＧＢ信号のそれぞれに付いて、上記補正等が行われることは言うまでもない。もちろん、白黒やセピアなど濃淡だけで表す画像もあるので、この場合は、色情報は考えなくて良い場合もある。
【００２０】
画像合成部５３は、補正部５２が補正した補正画像データと、画像取得部５１が取得した第１画像データと異なる第２画像データとを合成した合成画像データを生成し、この合成画像データを表示制御部５４へ出力する。具体的には、画像合成部５３は、補正部５２が生成した補正画像データおよび第２画像において互いに対応する画素の輝度（画像信号）を比較し、大きい方の輝度に従った信号（画像信号）を用いて補正画像データと第２画像データとを合成した合成画像データを生成する。より具体的には、画像合成部５３は、補正画像と第２画像とを用いて比較明合成処理を行うことによって合成画像データを生成する。ここで、比較明合成処理とは、少なくとも２枚の画像それぞれの同じ位置（座標）の各画素の輝度（信号値）を比較し、輝度に従った信号（画像信号）が大きい方の輝度（画像信号）を用いて２枚の画像を合成した合成画像データを生成する処理である。
【００２１】
表示制御部５４は、表示部４の表示態様を制御する。具体的には、表示制御部５４は、画像取得部５１が出力した画像データに対応する画像または画像合成部５３が生成した合成画像データに対応する合成画像を表示部４に表示させる。
【００２２】
〔情報機器の処理〕
次に、上述した情報機器１が実行する処理について説明する。図２は、情報機器１が実行する処理の概要を示すフローチャートである。
【００２３】
図２に示すように、まず、表示制御部５４は、画像データ記録部２１に記録されている複数の画像データに対応する複数の画像（サムネイル画像）の一覧を表示部４に表示させる（ステップＳ１０１）。
【００２４】
続いて、情報機器１が合成モードに設定されている場合（ステップＳ１０２：Ｙｅｓ）情報機器１は、後述するステップＳ１０８へ移行する。これに対して、情報機器１が合成モードに設定されていない場合（ステップＳ１０２：Ｎｏ）、情報機器１は、後述するステップＳ１０３へ移行する。
【００２５】
ステップＳ１０３において、操作スイッチ３１を介して表示部４が表示する複数の画像から画像が選択された場合（ステップＳ１０３：Ｙｅｓ）、表示制御部５４は、操作スイッチ３１を介して選択された画像を全画面に拡大して表示部４に表示させる（ステップＳ１０４）。
【００２６】
続いて、操作スイッチ３１から画像を変更する指示信号が入力された場合（ステップＳ１０５：Ｙｅｓ）、表示制御部５４は、操作スイッチ３１から入力された指示信号に応じた画像に変更する（ステップＳ１０６）。ステップＳ１０６の後、情報機器１は、上述したステップＳ１０４へ戻る。
【００２７】
ステップＳ１０３において、操作スイッチ３１を介して表示部４が表示する複数の画像から画像が選択されていない場合（ステップＳ１０３：Ｎｏ）、情報機器１は、後述するステップＳ１０７へ移行する。
【００２８】
続いて、入力部３から電源をオフする指示信号が入力された場合（ステップＳ１０７：Ｙｅｓ）、情報機器１は、本処理を終了する。これに対して、入力部３から電源をオフする指示信号が入力されていない場合（ステップＳ１０７：Ｎｏ）、情報機器１は、上述したステップＳ１０１へ戻る。
【００２９】
ステップＳ１０５において、操作スイッチ３１から画像を変更する指示信号が入力されていない場合（ステップＳ１０５：Ｎｏ）、情報機器１は、ステップＳ１０７へ移行する。
【００３０】
ステップＳ１０８において、制御部５は、ユーザによって合成用画像が選択済みであるか否かを判断する。具体的には、制御部５は、操作スイッチ３１を介して表示部４が表示する複数の画像の中から合成用の画像が２枚選択されているか否かを判断する。例えば、制御部５は、補正データ記録部２２に合成画像に用いる補正画像データが記録されているか否かを判断する。制御部５がユーザによって合成用画像が選択済みであると判断した場合（ステップＳ１０８：Ｙｅｓ）、情報機器１は、後述するステップＳ１１３へ移行する。これに対して、制御部５がユーザによって合成用画像が選択済みでないと判断した場合（ステップＳ１０８：Ｎｏ）、情報機器１は、後述するステップＳ１０９へ移行する。
【００３１】
ステップＳ１０９において、操作スイッチ３１を介して表示部４が表示する複数の画像の中から合成用画像が選択された場合（ステップＳ１０９：Ｙｅｓ）において、タッチパネル３２を介して表示部４が表示する画像（第１画像）内において特定の成分を補正する指定領域の指定があるとき（ステップＳ１１０：Ｙｅｓ）、補正部５２は、タッチパネル３２から入力された指示信号に対応した位置を含む指定領域の特定成分を補正した補正画像データを生成する（ステップＳ１１０）。
【００３２】
図３は、合成用の画像の一例を示す図である。図４は、ユーザがタッチパネル３２を介して指定領域を指定する際の概要を模式的に説明する図である。図５は、補正部５２による抽出前の画像（第１画像）内における位置と輝度に従った信号（画像信号）との関係を模式的に示す図である。図６は、補正部５２による抽出後の画像（第１画像）内における位置と輝度に従った信号（画像信号）との関係を模式的に示す図である。図３において、アイコンＡ１は、合成用画像の選択を解除するリセット信号の入力を受け付けるアイコンである。また、図５（ｂ）および図６（ｂ）において、横軸が直線Ｌ１の画像位置を示し、縦軸値が輝度（画像信号）を示す。また、曲線Ｃ１は、直線Ｌ１の位置に対応する輝度に従った信号（画像信号）を示す。なお、以下においては、説明を簡略化するため、画像Ｗ１の直線Ｌ１上における画素の輝度分布を一例に説明するが、本実施の形態１では、画像Ｗ１の各水平ラインに対して輝度（画像信号）を走査して指定領域Ｆ２の輝度（画像信号）を補正（除去）するものとする。
【００３３】
図３に示すように、操作スイッチ３１を介して表示部４が表示する複数の画像の中から合成用の画像Ｗ１（第１画像）が選択された場合において、タッチパネル３２を介して画像Ｗ１内におけるタッチ位置を含む領域Ｆ１からスライド操作等によって指定領域Ｆ２の指定があったとき（図４（ａ）→図４（ｂ））、補正部５２は、指定領域Ｆ２の輝度（画像信号）を補正（除去）した補正画像データに対応する補正画像Ｗ２を生成する（図５→図６）。
【００３４】
具体的には、補正部５２は、画像Ｗ１における指定領域Ｆ２の各画素の輝度（画像信号）を零（０）にする補正（除去）を行うことによって、補正画像Ｗ２を生成する。なお、図４〜図６においては、タッチパネル３２を介して画像Ｗ１の指定領域Ｆ２が矩形状に設定されているが、補正部５２は、タッチパネル３２上におけるタッチの軌跡やピンチ操作に応じた形状、例えば円や三角形等を指定領域における各画素の輝度（画像信号）を補正した補正画像データを生成してもよい。さらに、補正部５２は、特定成分として輝度（画像信号）を補正していたが、画像Ｗ１の指定領域Ｆ２における色空間の変数を補正して補正画像データを生成してもよい。また、補正部５２は、補正画像Ｗ２の指定領域Ｆ２の各画素の輝度（画像信号）を零にしていたが、指定領域Ｆ２に対するスライド操作の往復回数またはスライド操作の移動速度に基づいて、指定領域Ｆ２の各画素の輝度（画像信号）を徐々に減衰（低下）させてもよい。こうした動作は、書いてあったものがこすれば消えるとか、版画の転写がこすれば濃くなるように、ユーザに理解しやすく、第３者にも説明しやすい動作であるということが重要である。回数のみならず、こする強さを検出できるタッチパネルや、パネルの面からの高さ方向の差異を計れるタッチパネルもあるので、強さやタッチ時の触れる具合によって調整できるように応用設計してもよく、これもまた、この実施例のみならず、この発明全体に含まれる思想であることを注記しておく。
【００３５】
図２に戻り、ステップＳ１１２以降の説明を続ける。
ステップＳ１１２において、合成用画像に用いる合成用画像の選択が終了した場合（ステップＳ１１２：Ｙｅｓ）、情報機器１は、ステップＳ１０７へ移行する。これに対して、合成用画像に用いる合成用画像の選択が終了していない場合（ステップＳ１１２：Ｎｏ）、情報機器１は、ステップＳ１０８へ戻る。
【００３６】
ステップＳ１０９において、操作スイッチ３１を介して表示部４が表示する複数の画像の中から合成用画像が選択されていない場合（ステップＳ１０９：Ｎｏ）、情報機器１は、ステップＳ１１２へ移行する。
【００３７】
ステップＳ１１０において、タッチパネル３２を介して表示部４が表示する画像（第１画像）内において特定の成分を補正する指定領域の指定がないとき（ステップＳ１１０：Ｎｏ）、情報機器１は、ステップＳ１１２へ移行する。
【００３８】
ステップＳ１１３において、操作スイッチ３１を介して表示部４が表示する複数の画像の中から合成用画像に用いる第２画像が選択された場合（ステップＳ１１３：Ｙｅｓ）において、補正データ記録部２２に補正画像データに対応する補正画像があるとき（ステップＳ１１４：Ｙｅｓ）、画像合成部５３は、第２画像の特定成分としての輝度（画像信号）を補正する（ステップＳ１１５）。
【００３９】
図７は、第２画像内における被写体の輝度（画像信号）と画像位置との関係を模式的に示す図である。図８は、画像合成部５３による輝度に従った信号（画像信号）の補正後における第２画像内における輝度（画像信号）と画像位置との関係を模式的に示す図である。図７（ｂ）および図８において、横軸が直線Ｌ１の画像位置を示し、縦軸が輝度に従った信号（画像信号）を示す。また、曲線Ｃ２は、直線Ｌ１の位置に対応する輝度に従った信号（画像信号）を示す。なお、以下においては、説明を簡略化するため、第２画像Ｗ３の直線Ｌ１上における画素の輝度分布を一例に説明するが、本実施の形態１では、第２画像Ｗ３の各水平ラインに対して輝度を走査して指定領域Ｆ２以外の輝度（画像信号）を変更するものとする。
【００４０】
図７および図８に示すように、画像合成部５３は、第２画像Ｗ３内において、画像Ｗ１内の指定領域Ｆ２以外の輝度に従った信号（画像信号）を低下させる補正を行う（図８（ａ）→図８（ｂ））。具体的には、画像合成部５３は、補正画像Ｗ２の輝度に従った信号（画像信号）に基づいて、補正画像Ｗ２の指定領域Ｆ２に対応する第２画像Ｗ３の指定領域Ｆ２以外の各画素の輝度に従った信号（画像信号）を減衰させる補正を行う。例えば、画像合成部５３は、補正画像Ｗ２の輝度に従った信号（画像信号）に基づいて、補正画像Ｗ２の指定領域Ｆ２に対応する第２画像Ｗ３の指定領域Ｆ２以外の各画素の輝度に従った信号（画像信号）を補正画像Ｗ２の輝度（画像信号）より小さくなるように減衰（低下）させる補正を行う。
【００４１】
図２に戻り、ステップＳ１１６以降の説明を続ける。
ステップＳ１１６において、画像合成部５３は、補正部５２が生成した補正画像データに対応する補正画像と画像取得部５１が取得した第２画像データに対応する第２画像とを用いた比較明合成処理を行って合成画像データを生成する。
【００４２】
図９は、画像合成部５３が生成した合成画像データに対応する合成画像内おける被写体の明るさ分布（輝度分布）と画像位置との関係を模式的に示す図である。図９（ｂ）において、横軸が直線Ｌ１の画像位置を示し、縦軸が輝度分布、またはそれに従った信号（画像信号）を示す。また、曲線Ｃ１は、直線Ｌ１の位置に対応する補正画像Ｗ２の輝度分布、またはそれ従った信号（画像信号）を示し、曲線Ｃ２は、直線Ｌ１の位置に対応する第２画像Ｗ３の輝度分布、またはそれに従った信号（画像信号）を示す。なお、以下においては、説明を簡略化するため、合成画像Ｗ４の直線Ｌ１上における画素の輝度分布を一例に説明するが、本実施の形態１では、合成画像Ｗ４の各水平ラインに対して各画素の輝度に従った信号（画像信号）を比較し、輝度に従った信号（画像信号）が大きい画素の輝度に従った信号（画像信号）を用いて合成画像データを生成するものとする。
【００４３】
図９に示すように、画像合成部５３は、補正部５２が生成した補正画像Ｗ２および第２画像Ｗ３それぞれの同じ位置の各画素の輝度に従った信号（画像信号）を比較し、輝度に従った信号（画像信号）が大きい画素の輝度に従った信号（画像信号）を用いることによって、補正画像Ｗ２と第２画像Ｗ３とを合成した合成画像Ｗ４を生成する。
【００４４】
ステップＳ１１６の後、表示制御部５４は、画像合成部５３が生成した合成画像データに対応する合成画像を表示部４に表示させる（ステップＳ１１７）。具体的には、表示制御部５４は、図９（ａ）に示す合成画像Ｗ４を表示部４に表示させる。これにより、ユーザの感性を反映することができる。
【００４５】
続いて、操作スイッチ３１から表示部４が表示する合成画像を記録する指示信号が入力された場合（ステップＳ１１８：Ｙｅｓ）、画像合成部５３は、画像データ記録部２１に合成画像データを記録する（ステップＳ１１９）。ステップＳ１１９の後、情報機器１は、ステップＳ１０７へ移行する。
【００４６】
ステップＳ１１８において、操作スイッチ３１から表示部４が表示する合成画像を記録する指示信号が入力されていない場合（ステップＳ１１８：Ｎｏ）、情報機器１は、ステップＳ１０７へ移行する。
【００４７】
ステップＳ１１３において、操作スイッチ３１を介して表示部４が表示する複数の画像の中から合成用画像に用いる第２画像が選択されていない場合（ステップＳ１１３：Ｎｏ）、情報機器１は、ステップＳ１０７へ移行する。
【００４８】
ステップＳ１１４において、補正データ記録部２２に補正画像データに対応する補正画像がないとき（ステップＳ１１４：Ｎｏ）、情報機器１は、ステップＳ１１６へ移行する。
【００４９】
以上説明した本実施の形態１によれば、画像合成部５３が補正部５２によって生成された補正画像データに対応する補正画像および画像取得部５１が取得した第１画像データと異なる第２画像データに対応する第２画像それぞれの同じ位置の各画素の輝度に従った信号（画像信号）を比較し、大きい方の輝度に従った信号（画像信号）を用いて補正画像と第２画像とを合成した合成画像データを生成するので、ユーザが指先で行った簡単な指定に従った画像表現が得られ、画像合成時にユーザの感性を反映することができる。
【００５０】
また、本実施の形態１によれば、画像合成部５３が補正画像および第２画像のうち少なくとも一方の輝度に従った信号（画像信号）を補正した後に、補正画像および第２画像それぞれの同じ位置の各画素の輝度に従った信号（画像信号）を比較することによって、合成画像データを生成するので、ユーザが所望する指定領域の画素を合成画像に確実に反映させることができる。もちろん、二つの画像の一方を拡大縮小したり、相互にずらしたりする操作を加えることによって、より多様な効果を奏することが出来ることは言うまでもない。こうした補正、微調は、ピンチやスライドといったタッチ操作が反映させやすい領域であるので、改めて詳述するには及ばないと考え、説明を省略した。
【００５１】
また、本実施の形態１によれば、画像合成部５３が第２画像の輝度に従った信号（画像信号）を減衰させた後に、補正画像および第２画像それぞれの同じ位置、あるいは相当する位置の各画素の輝度に従った信号（画像信号）を比較することによって、合成画像データを生成するので、第２画像においてユーザが所望する指定領域の画素を合成画像に確実に反映させることができる。
【００５２】
また、本実施の形態１によれば、画像合成部５３が補正画像における所定の領域以外の各画素の輝度に従った信号（画像信号）を増幅した後に、補正画像および第２画像それぞれの同じ位置の各画素の輝度に従った信号（画像信号）を比較することによって、合成画像データを生成するので、補正画像においてユーザが所望する領域を合成画像に確実に反映させることができる。前述のように、色情報については説明を省略しているが、同じ色同士で比較したり合成するものである。
【００５３】
（実施の形態２）
次に、本発明の実施の形態２について説明する。本実施の形態２は、上述した実施の形態１に係る情報機器１と構成が異なるうえ、実行する処理が異なる。具体的には、本実施の形態２に係る情報機器は、被写体を撮像し、この被写体の画像データを生成する撮像部を備える。このため、以下においては、本実施の形態２に係る情報機器の構成を説明後、本実施の形態２に係る情報機器が実行する処理について説明する。なお、以下においては、上述した実施の形態１に係る情報機器１と同一の構成には同一の符号を付して説明を省略する。
【００５４】
〔情報機器の構成〕
図１０は、本実施の形態２に係る情報機器の機能構成を示すブロック図である。図１０に示す情報機器１ａは、記録部２と、表示部４と、入力部６と、撮像部７と、制御部８と、を備える。
【００５５】
入力部６は、操作スイッチ３１と、タッチパネル３２と、電源スイッチ３３と、レリーズスイッチ３４と、を備える。電源スイッチ３３は、情報機器１ａの電源をオンまたはオフする指示信号の入力を受け付ける。レリーズスイッチ３４は、撮影を指示するレリーズ信号の入力を受け付ける。
【００５６】
撮像部７は、制御部８の制御のもと、所定の視野領域を連続的に撮像して、時間的に連続する複数の画像データを生成する。撮像部７は、少なくとも、複数のレンズで構成された光学系および、この光学系が結像した被写体像を受光して光電変換を行うことによって画像データを生成するＣＣＤ（Charge  Coupled  Device）やＣＭＯＳ（Complementary  Metal  Oxide  Semiconductor）等の撮像素子等を用いて構成される。
【００５７】
制御部８は、情報機器１ａを構成する各部に対する指示やデータの転送等を行って情報機器１ａの動作を統括的に制御する。制御部８は、ＣＰＵを用いて構成される。
【００５８】
ここで、制御部８の詳細な構成について説明する。制御部８は、少なくとも、画像取得部５１と、補正部５２と、画像合成部５３と、表示制御部５４と、露出制御部５５と、を有する。
【００５９】
露出制御部５５は、撮像部７の露出を制御する。具体的には、露出制御部５５は、補正部５２が生成した補正画像データに対応する補正画像に基づいて、撮像部７が生成する画像データの露出値を制御する。
【００６０】
〔情報機器の処理〕
次に、上述した情報機器１ａが実行する処理について説明する。図１１は、情報機器１ａが実行する処理の概要を示すフローチャートである。
【００６１】
図１１に示すように、まず、情報機器１ａが撮影モードに設定されている場合（ステップＳ２０１：Ｙｅｓ）、情報機器１ａは、入力部６から入力される指示信号に応じて、撮像部７に撮影を実行させる撮影モード処理を実行する（ステップＳ２０２）。なお、撮影モード処理の詳細は、後述する。
【００６２】
続いて、電源スイッチ３３を介して情報機器１ａの電源がオフにする指示信号が入力された場合（ステップＳ２０３：Ｙｅｓ）、情報機器１ａは、本処理を終了する。これに対して、電源スイッチ３３を介して情報機器１ａの電源をオフする指示信号が入力されていない場合（ステップＳ２０３：Ｎｏ）、上述したステップＳ２０１へ戻る。
【００６３】
ステップＳ２０１において、情報機器１ａが撮影モードに設定されていない場合（ステップＳ２０１：Ｎｏ）において、情報機器１ａが再生モードに設定されているとき（ステップＳ２０４：Ｙｅｓ）、画像データ記録部２１が記録する複数の画像データに対応する複数の画像をそれぞれ表示部４に表示させる再生モード処理を実行する（ステップＳ２０５）。再生モード処理の詳細は、後述する。ステップＳ２０５の後、情報機器１ａは、ステップＳ２０３へ移行する。
【００６４】
ステップＳ２０１において、情報機器１ａが撮影モードに設定されていない場合（ステップＳ２０１：Ｎｏ）において、情報機器１ａが再生モードに設定されていないとき（ステップＳ２０４：Ｎｏ）、情報機器１ａは、ステップＳ２０３へ移行する。
【００６５】
〔撮影モード処理〕
次に、図１１のステップＳ２０２で説明した撮影モード処理の詳細について説明する。図１２は、図１１の撮影モード処理の概要を示すフローチャートである。
【００６６】
図１２に示すように、まず、露出制御部５５は、撮像部７に撮像させ（ステップＳ３０１）、撮像部７が生成した画像データに基づいて、露出値を決定する（ステップＳ３０２）。
【００６７】
続いて、情報機器１ａが合成用撮影モードに設定されている場合（ステップＳ３０３：Ｙｅｓ）、情報機器１ａは、後述するステップＳ３０６へ移行する。これに対して、情報機器１ａが合成用撮影モードに設定されていない場合（ステップＳ３０３：Ｎｏ）、情報機器１ａは、後述するステップＳ３０４へ移行する。
【００６８】
ステップＳ３０４において、露出制御部５５は、撮像部７に通常露出（適正露出）で撮像させる。この場合、画像取得部５１は、撮像部７が生成した画像データを撮像部７から取得し、取得した画像データを表示制御部５４へ出力する。
【００６９】
続いて、表示制御部５４は、画像取得部５１から入力された撮像部７が生成した画像データに対応するライブビュー画像を表示部４に表示させる（ステップＳ３０５）。ステップＳ３０５の後、情報機器１ａは、後述するステップＳ３１７へ移行する。
【００７０】
ステップＳ３０６において、制御部８は、２つの画像を用いて合成する際の合成用画像が選択済みであるか否かを判断する。具体的には、制御部８は、補正データ記録部２２に抽出データが記録されているか否かを判断することによって、２つの画像を用いて合成する際の合成用画像が選択済みであるか否かを判断する。制御部８が２つの画像を用いて合成する際の合成用画像が選択済みであると判断した場合（ステップＳ３０６：Ｙｅｓ）、情報機器１ａは、後述するステップＳ３１２へ移行する。これに対して、制御部８が２つの画像を用いて合成する際の合成用画像が選択済みでないと判断した場合（ステップＳ３０６：Ｎｏ）、情報機器１ａは、後述するステップＳ３０７へ移行する。
【００７１】
ステップＳ３０７において、表示制御部５４は、画像データ記録部２１に記録されている複数の画像データに対応する複数の画像（サムネイル画像）の一覧を表示部４に表示させる。
【００７２】
続いて、入力部６を介して表示部４が表示する複数の画像の中から合成用画像が選択された場合（ステップＳ３０８：Ｙｅｓ）、情報機器１ａは、後述するステップＳ３０９へ移行する。これに対して、入力部６を介して表示部４が表示する複数の画像から合成用画像が選択されていない場合（ステップＳ３０８：Ｎｏ）、情報機器１ａは、後述するステップＳ３１１へ移行する。
【００７３】
ステップＳ３０９およびステップＳ３１０は、図２のステップＳ１１０およびステップＳ１１１にそれぞれ対応する。
【００７４】
ステップＳ３１１の後、合成用画像の選択が終了した場合（ステップＳ３１１：Ｙｅｓ）、情報機器１ａは、後述するステップＳ３１２へ移行する。これに対して、合成用画像の選択が終了していない場合（ステップＳ３１１：Ｎｏ）、情報機器１ａは、上述したステップＳ３０８へ戻る。
【００７５】
ステップＳ３１２において、制御部８は、補正部５２が生成した補正画像データに対応する補正画像に指定領域があるか否かを判断する。具体的には、制御部８は、補正データ記録部２２によって記録された補正画像データに対応する補正画像内に指定領域があるか否かを判断する（例えば、上述した図４を参照）。制御部８が補正画像に指定領域があると判断した場合（ステップＳ３１２：Ｙｅｓ）、情報機器１ａは、後述するステップＳ３１３へ移行する。これに対して、制御部８が補正画像に指定領域がないと判断した場合（ステップＳ３１２：Ｎｏ）、情報機器１ａは、後述するステップＳ３０４へ移行する。
【００７６】
ステップＳ３１３において、露出制御部５５は、補正画像における指定領域以外の表示領域に対応する撮像部７の第２撮像領域の露出値が半分になるように撮像部７に撮像させる。具体的には、露出制御部５５は、補正画像における指定領域（第１撮像領域）以外に対応する撮像部７の第２撮像領域の露光時間を、補正画像における指定領域に対応する撮像部７の第１撮像領域の露光時間より第２撮像領域の露光時間を半分にして撮像部７に撮像させることによって、補正画像における指定領域以外に対応する撮像部７の第２撮像領域の露出値を半分させる。なお、露出制御部５５は、補正画像における指定領域以外に対応する撮像部７の第２撮像領域の露光値を半分に制御して撮像部７に撮像させているが、撮像部７の露光値を適宜変更してもよい。
【００７７】
続いて、画像合成部５３は、画像取得部５１によって補正データ記録部２２から取得された補正画像の指定領域に対応する第１撮像領域の輝度（信号値）を増幅（増加）する補正を行う（ステップＳ３１４）。
【００７８】
その後、画像合成部５３は、ステップＳ３１０で指定領域に対応する第１撮像領域の輝度に従った信号（画像信号）を増幅させた補正画像とステップＳ３１３で撮像部７が生成した画像データに対応する画像（第２画像）とを用いた比較明合成処理を行って合成画像データを生成する（ステップＳ３１５）。
【００７９】
続いて、表示制御部５４は、画像合成部５３が生成した合成用画像データに対応する合成画像を表示部４に表示させる（ステップＳ３１６）。ステップＳ３１６の後、情報機器１ａは、後述するステップＳ３１７へ移行する。
【００８０】
その後、レリーズスイッチ３４からレリーズ信号があった場合（ステップＳ３１７：Ｙｅｓ）、露出制御部５５は、撮像部７に撮影を実行させる（ステップＳ３１８）。具体的には、露出制御部５５は、上述したステップＳ３０４、ステップＳ３１３の露光値になるように撮像部７に撮影させる。
【００８１】
続いて、情報機器１ａが合成用撮影モードに設定されている場合（ステップＳ３１９：Ｙｅｓ）、画像合成部５３は、ステップＳ３１０で指定領域に対応する第１撮像領域の輝度に従った信号（画像信号）を増幅させた補正画像とステップＳ３１８で撮像部７が生成した画像データに対応する画像（第２画像）とを用いて比較明合成処理を行って合成画像データを生成する（ステップＳ３２０）。
【００８２】
その後、情報機器１ａは、画像合成部５３が生成した合成画像データまたは撮像部７が生成した画像データを記録部２に記録する（ステップＳ３２１）。ステップＳ３２１の後、情報機器１ａは、上述した図１１のメインルーチンへ戻る。
【００８３】
ステップＳ３１７において、レリーズスイッチ３４からレリーズ信号がなかった場合（ステップＳ３１７：Ｎｏ）、情報機器１ａは、上述した図１１のメインルーチンへ戻る。
【００８４】
ステップＳ３１９において、情報機器１ａが合成用撮影モードに設定されていない場合（ステップＳ３１９：Ｎｏ）、情報機器１ａは、ステップＳ３２１へ移行する。
【００８５】
〔再生モード処理〕
次に、図１１のステップＳ２０５で説明した再生モード処理の詳細について説明する。図１３は、図１１の再生モード処理の概要を示すフローチャートである。
【００８６】
図１３において、ステップＳ４０１〜４１９は、上述した図２のステップＳ１０１〜ステップＳ１１９にそれぞれ対応する。
【００８７】
以上説明した本実施の形態２によれば、露出制御部５５が補正画像における指定領域に対応する撮像部７の指定撮像領域の露出値が所定の露出値になるように撮像部７に第２画像データに対応する第２画像を生成させる。この結果、画像合成部５３が補正画像と第２画像とを用いて比較明合成処理を行う際に、ユーザが所望する第２画像の領域における各画素に対応する輝度分布が大きくなることによって、第２画像の指定領域Ｆ２の画素の輝度に従った信号（画像信号）が優先的に採用されるので、撮影する画像に対して、簡単な直感的な操作でユーザの感性を反映することができる。つまり、最初の実施例もそうであるが、消しゴムで消すと、鉛筆で書いた文字や絵が消えたり、ホワイトボードに書いた文字や絵がこすれば消えたり、版画の濃さがばれんのこすり型で変わるなど、文字や絵など画像の濃淡がワイプ（拭く、こする）動作で変化するという、一般ユーザによく知られた動作と画像効果の関係が、電子的に再現された形になっているので直感的な画像処理方法と言える。
【００８８】
（実施の形態３）
次に、本発明の実施の形態３について説明する。本実施の形態３に係る情報機器は、上述した実施の形態２に係る情報機器１ａと同様の構成を有し、撮影モード処理が異なる。このため、以下においては、本実施の形態３に係る情報機器１ａが実行する撮影モード処理について説明する。なお、以下においては、上述した実施の形態２に係る情報機器１ａと同一の構成には同一の符号を付して説明を省略する。
【００８９】
〔撮影モード処理〕
図１４は、本実施の形態３に係る情報機器１ａが実行する撮影モード処理の概要を示すフローチャートである。
【００９０】
ステップＳ５０１〜ステップＳ５１２は、上述した図１２のステップＳ３０１〜ステップＳ３１２にそれぞれ対応する。
【００９１】
ステップＳ５１３において、露出制御部５５は、補正画像における指定領域の被写体の輝度情報、または輝度信号に基づいて、補正画像における指定領域（第１撮像領域）以外の表示領域に対応する撮像部７の第２撮影領域の露出値を制御する。
【００９２】
続いて、露出制御部５５は、補正画像の指定領域に対応する撮像部７の第１撮像領域の輝度信号（輝度に従った画像信号）が所定の値になるように撮像部７に露光させて撮像させる（ステップＳ５１４）。
【００９３】
図１５は、撮像部７が露出制御部５５の制御のもと、撮像する画像の輝度に従った信号（画像信号）と画像位置との関係を模式的に示す図である。図１５（ａ）〜図１５（ｃ）において、横軸が直線Ｌ１の撮像部７の位置（例えば図５を参照）を示し、縦軸が被写体の明るさの分布に対応した輝度分布（またはそれに基づく画像信号）を示す。また、曲線Ｃ１０は、直線Ｌ１の位置に対応する撮像部７の撮像領域の輝度に従った信号（画像信号）を示す。なお、以下においては、説明を簡略化するため、撮像部７の直線Ｌ１上における画素の輝度分布を一例に説明するが、本実施の形態３では、撮像部７の撮像領域における各水平ラインに対して同様の処理を行うものとする。
【００９４】
図１５に示すように、露出制御部５５は、補正画像における指定領域に対応する撮像部７の第１撮像領域の露出値が所定の露出値になるように、第１撮像領域を複数回露光させて撮像部７に第２画像データに対応する第２画像を生成させる（図１５（ａ）→図１５（ｂ）→図１５（ｃ））。これにより、指定領域Ｆ２の各画素に対応した被写体の輝度に従った信号（画像信号）が露光回数に応じて増幅することで（曲線Ｃ１０→曲線Ｃ１１→曲線Ｃ１２）、撮像部７が生成した第２画像の直線Ｌ１における各画素の輝度に従った信号が曲線Ｃ２０の画像信号となる（図１５（ｃ）を参照）。この結果、後述する画像合成部５３が補正画像と第２画像とを用いて比較明合成処理を行う際に、ユーザが所望する第２画像の領域における各画素の輝度に従った信号（画像信号）が大きくなることによって、第２画像の指定領域Ｆ２の画素の輝度に従った信号（画像信号）が優先的に採用されるので、撮影する画像に対して、ユーザの感性を反映することができる。
【００９５】
ステップＳ５１５〜ステップＳ５２１は、上述した図１２のステップＳ３１５〜ステップＳ３２１にそれぞれ対応する。
【００９６】
以上説明した本実施の形態３によれば、露出制御部５５が補正画像における指定領域に対応する撮像部７の第１撮像領域の露出値が所定の露出値になるように、第１撮像領域を複数回露光させて撮像部７に第２画像データに対応する第２画像を生成させる。この結果、画像合成部５３が補正画像と第２画像とを用いて比較明合成処理を行う際に、ユーザが所望する第２画像の領域における各画素に対応する被写体や対象物の輝度に従った信号（画像信号）が大きくなることによって、第２画像の指定領域Ｆ２の画素の輝度に従った信号（画像信号）が優先的に採用されるので、撮影する画像に対して、ユーザの感性を反映することができる。特別なスキルを必要とせず、「優先しない部分をこすって下さい」といった指示だけでユーザに手順を説明することが可能となる。これは、先に書いたように、自然に日常的に行われる文字や絵などの消す操作に相当するワイプ操作をタッチパネルを利用して再現したものだからである。
【００９７】
なお、本実施の形態３では、露出制御部５５が指定領域Ｆ２に対応する撮像部７の第１撮像領域の露光時間を指定領域Ｆ２以外の表示領域に対応する撮像部７の第２撮像領域の露光時間より長くしていたが、例えば図１６に示すように、露出制御部５５は、指定領域Ｆ２に対応する撮像部７の第１撮像領域のＩＳＯ感度を指定領域Ｆ２以外の表示領域に対応する撮像部７の第２撮像領域のＩＳＯ感度より高くしてもよい。これにより、撮像部７が生成した第２画像の直線Ｌ１における各画素の輝度に従った信号の変化（画像信号）が曲線Ｃ２１となる（図１６（ａ）→図１６（ｂ））。この結果、後述する画像合成部５３が補正画像と第２画像とを用いて比較明合成処理を行う際に、ユーザが所望する第２画像の領域における各画素の輝度に従った信号（画像信号）が大きくなることによって、第２画像の指定領域Ｆ２の画素の輝度に従った信号（画像信号）が優先的に採用されるので、撮影する画像に対して、ユーザの感性を反映することができる。
【００９８】
（その他の実施の形態）
また、本発明に係る情報機器は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。
【００９９】
なお、本発明に係る情報機器は、補正部が第１画像データに対応する第１画像における所定の領域に対して輝度を低下させるのに対応するような像信号補正を行って補正画像データを生成していたが、例えば第２画像データに対応する第２画像における所定の領域に対して輝度に従った信号（画像信号）を低下させた補正画像データを生成してもよい。
【０１００】
また、本発明に係る情報機器は、補正部が第１画像データに対応する第１画像における所定の領域に対して輝度に従った信号（画像信号）を減衰させていたが、この所定の領域に対して輝度に従った信号（画像信号）を増幅させてもよい。タッチでこするなどして指定した位置に対して信号を減衰させる例を説明したが、増幅して強調して画像合成しても良い。これらは、いずれも複数画像を比較して、どちらの信号を優先するかの処理を行うだけでよく、非常にシンプルな回路構成や演算などで実現することができる。また、ここでは、完全に同じ撮像素子で得られる２つの画像で説明したが、３つ以上の画像であっても同様の処理は可能であり、異なる撮像素子で得られた画像を合成する際にも本発明で提案した同様のユーザインターフェースや回路や演算を活用することによって、ユーザに説明しやすい複数画像の表示の工夫が可能となる。直感的な操作が可能だということは、迅速な操作ができることであって、撮影時にシャッターチャンスを逃すことなく、多様な効果の画像が得る時に、特に効果を発揮する。もちろん、この発明を利用するのは、撮影のみならず、観察時や再生時でも良い。
【０１０１】
また、本発明に係る情報機器に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１０２】
また、本発明に係る情報機器に実行させるプログラムは、インターネット等のネットワークに接続されたコンピュータ上に格納し、ネットワーク経由でダウンロードさせることにより提供するように構成しても良い。さらに、本発明に係る情報機器に実行させるプログラムをインターネット等のネットワーク経由で提供または配布するように構成しても良い。
【０１０３】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１０４】
このように、本発明は、ここでは記載していない様々な実施の形態を含みうるものであり、特許請求の範囲によって特定される技術的思想の範囲内で種々の設計変更等を行うことが可能である。
【符号の説明】
【０１０５】
１，１ａ・・・情報機器；２・・・記録部；３，６・・・入力部；４・・・表示部；５，８・・・制御部；７・・・撮像部；２１・・・画像データ記録部；２２・・・補正データ記録部；２３・・・プログラム記録部；３１・・・操作スイッチ；３２・・・タッチパネル；３３・・・電源スイッチ；３４・・・レリーズスイッチ；５１・・・画像取得部；５２・・・補正部；５３・・・画像合成部；５４・・・表示制御部；５５・・・露出制御部
【図１】
2015233243.tif 000003
【図２】
2015233243.tif 000004
【図３】
2015233243.tif 000005
【図４】
2015233243.tif 000006
【図５】
2015233243.tif 000007
【図６】
2015233243.tif 000008
【図７】
2015233243.tif 000009
【図８】
2015233243.tif 000010
【図９】
2015233243.tif 000011
【図１０】
2015233243.tif 000012
【図１１】
2015233243.tif 000013
【図１２】
2015233243.tif 000014
【図１３】
2015233243.tif 000015
【図１４】
2015233243.tif 000016
【図１５】
2015233243.tif 000017
【図１６】
2015233243.tif 000018